(57)【要約】【課題】紛失した送信機の機能を容易に無効化することができるリモコン錠システムの受信制御装置を提供する。【解決手段】受信制御装置７に、複数の送信機１０Ａ，１０Ｂ，１０Ｃの何れかの機能を選択的に無効化するための設定スイッチ１７Ａ，１７Ｂ，１７Ｃを設けて、設定スイッチ１７Ａ，１７Ｂ，１７Ｃの何れかがオン操作されて、対応する送信機１０の機能を無効化する設定が行われると、マイクロコンピュータ１３は、対応する送信機１０から送信される施錠信号または解錠信号を受信した場合でも、電気錠１のドア２に対する施錠または解錠動作を禁止する。【選択図】図１
2007255187.tif 000002
【特許請求の範囲】
【請求項１】
送信機から空中伝搬信号によって送信される施錠信号または解錠信号を受信したときは、所定のドアに設けられた電気錠に施錠または解錠動作を行わせる制御手段を備えたリモコン錠システムの受信制御装置において、
前記送信機の機能を無効化する設定を行うための設定スイッチと、
この設定スイッチによって前記送信機の機能を無効化する設定が行われた状態では、前記送信機から送信される施錠信号または解錠信号に応じた前記制御手段による前記電気錠に対する施錠または解錠動作を禁止する禁止手段とを備え、
前記設定スイッチは、複数の送信機に夫々対応して設けられると共にそれらの送信機の機能を選択的に無効化するように設定が可能であり、
前記禁止手段は、前記設定スイッチにより設定が行われた送信機から送信される施錠信号または解錠信号に応じた前記制御手段による前記電気錠に対する施錠または解錠動作を選択的に禁止することを特徴とするリモコン錠システムの受信制御装置。
【請求項２】
前記設定スイッチは、スライドスイッチで構成されることを特徴とする請求項１記載のリモコン錠システムの受信制御装置。
【請求項３】
前記設定スイッチは、前記ドア側に配置されることを特徴とする請求項１又は２記載のリモコン錠システムの受信制御装置。
【請求項４】
前記設定スイッチは、前記電気錠とハーネスを介して接続されている制御盤側に配置されることを特徴とする請求項１又は２記載のリモコン錠システムの受信制御装置。
【発明の詳細な説明】
【技術分野】
【０００１】
本発明は、送信機から空中伝搬信号によって送信される施錠信号または解錠信号を受信すると、その受信信号に応じて電気錠を駆動して、所定のドアを施錠または解錠するリモコン錠システムの受信制御装置に関する。
【背景技術】
【０００２】
リモコン錠システムは、例えば住宅の玄関に設けられているドアを施錠または解錠するために使用されることが多い。ところで、斯様なリモコン錠システムに使用される送信機は、通常住宅の住人が外出時に携帯するものであるため、その外出時に紛失してしまうおそれがある。特に、家族の各人が夫々使用するために、複数の送信機を使用している場合には、紛失の可能性はより高くなる。
【発明の開示】
【発明が解決しようとする課題】
【０００３】
送信機を紛失した場合の対策として、紛失した送信機のＩＤコードの代わりに、実際には使用していない送信機のＩＤコードを受信制御装置に登録することが考えられる。しかしながら、ＩＤコードの登録作業は容易ではなく、老人や子供などが登録を行うのは困難であった。
本発明は上記事情に鑑みてなされたもので、その目的は、紛失した送信機の機能を容易に無効化することができるリモコン錠システムの受信制御装置を提供することにある。
【課題を解決するための手段】
【０００４】
上記目的を達成するため、本発明のリモコン錠システムの受信制御装置は、送信機から空中伝搬信号によって送信される施錠信号または解錠信号を受信したときは、所定のドアに設けられた電気錠に施錠または解錠動作を行わせる制御手段を備えたものにおいて、
前記送信機の機能を無効化する設定を行うための設定スイッチと、
この設定スイッチによって前記送信機の機能を無効化する設定が行われた状態では、前記送信機から送信される施錠信号または解錠信号に応じた前記制御手段による前記電気錠に対する施錠または解錠動作を禁止する禁止手段とを備える。
そして、設定スイッチを、複数の送信機に夫々対応して設けると共にそれらの送信機の機能を選択的に無効化するように設定可能として、前記禁止手段を、前記設定スイッチにより設定が行われた送信機から送信される施錠信号または解錠信号に応じた前記制御手段による前記電気錠に対する施錠または解錠動作を選択的に禁止する。
【０００５】
斯様に構成すれば、使用者が携帯していた送信機を紛失した場合であっても、設定スイッチによって紛失した送信機の機能を無効化する設定を行えば、禁止手段は、当該送信機から送信される施錠信号または解錠信号に応じた制御手段による施錠または解錠動作を禁止するので、送信機の機能を容易に無効化し得て、セキュリティの確保が容易となる。そして、複数の送信機を使用している場合で、例えばその内の１つを紛失してしまった場合でも、その紛失した送信機の機能のみを選択的に無効化することができる。
【発明の効果】
【０００６】
本発明のリモコン錠システムの受信制御装置によれば、使用者が携帯していた送信機を紛失した場合であっても、設定スイッチによって紛失した送信機の機能を無効化する設定を行えば、禁止手段は、当該送信機から送信される施錠信号または解錠信号に応じた施錠または解錠動作を禁止するので、送信機の機能を容易に無効化し得て、セキュリティの確保を容易に行うことができる。
そして、禁止手段は、設定スイッチにより設定が行われた送信機から送信される施錠信号または解錠信号に応じて、制御手段による電気錠に対するドアの施錠または解錠動作を選択的に禁止するので、複数の送信機を使用している場合で、例えばその内の１つを紛失してしまった場合でもその紛失した送信機の機能のみを選択的に無効化することができ、利便性の低下を極力少なくすることができる。
【発明を実施するための最良の形態】
【０００７】
以下、本発明を例えば住宅のドアに適用した場合を示す第１実施例について、図１乃至図３を参照して説明する。図２は、リモコン錠システムの全体構成を示す図である。電気錠１は、住宅の玄関等などに設けられたドア２の内部に設置されており、ハーネス３を介して住宅内に設けられている制御盤４に接続されている。
制御盤４は、商用交流電源（１００Ｖ）で動作するようになっており、住宅外のドア２付近に設けられているテンキー５によって入力される暗証番号を、ドア２の解錠用番号として自身に登録されているものと照合して一致すると、電気錠１に解錠信号を出力するようになっている。また、制御盤４には、住宅内からドア２を解錠または施錠するためのスイッチ６が設けられていると共に、ドアの開閉及び施錠・解錠状態を表示するための例えば液晶パネルなどからなる表示装置４ａが設けられている。
【０００８】
電気錠１の内部には、デッドボルト１ａをドア２内部から出入れすることによりドア２の施錠，解錠を行うための直流モータなどからなるアクチュエータ１ｂ（図１参照）が設けられており、そのアクチュエータ１ｂは、制御盤４から出力される施錠信号または解錠信号により駆動されるようになっている。
【０００９】
図１は、リモコン錠システムの詳細な電気的構成を示す機能ブロック図である。受信制御装置７は、ドア２の内部に設置されており、制御盤４とは、前述のようにハーネス３によって接続されている。また、受信制御装置７には、レギュレータ８が制御盤４から供給される直流電源より生成する５Ｖの制御用電源が与えられるようになっている。また、受信制御装置７は、電気錠１とハーネス９によって接続されている。
受信制御装置７は、３つの送信機１０Ａ，１０Ｂ，１０Ｃから電波信号（空中伝搬信号）によって夫々のＩＤコードと共に送信される施錠信号または解錠信号をアンテナ１１によって受信するようになっている。受信した電波信号は、受信回路１２により復調されて制御手段たるマイクロコンピュータ（以下、マイコンと称す。）１３に与えられるようになっている。
【００１０】
マイコン１３には、クロック回路１４よりクロック信号が与えられるようになっている。マイコン１３に内蔵されている図示しないＲＯＭには、制御プログラム及び送信機１０Ａ，１０Ｂ，１０Ｃから送信される施錠信号及び解錠信号のデータが記憶されている。また、送信機１０Ａ，１０Ｂ，１０Ｃから送信される各ＩＤコードは、図示しないＥＥＰＲＯＭに記憶されている。
マイコン１３には、各送信機１０Ａ，１０Ｂ，１０ＣのＩＤコードを登録し直す場合に使用される、例えばプッシュスイッチからなる登録スイッチ１５、及び送信機１０Ａ，１０Ｂ，１０Ｃの何れを登録し直すかを選択するためのロータリスイッチなどからなる選択スイッチ１６が接続されている。選択スイッチ１６は、送信機１０Ａ，１０Ｂ，１０Ｃに対応するポジションＡ，Ｂ，Ｃを有する３点スイッチである。
【００１１】
また、マイコン１３には、各送信機１０Ａ，１０Ｂ，１０Ｃから送信される施錠信号及び解錠信号を無効化する禁止モードを設定するための、例えばスライドスイッチからなる設定スイッチ（設定手段）１７Ａ，１７Ｂ，１７Ｃが接続されている。尚、設定スイッチ１７Ａ，１７Ｂ，１７Ｃの出力端子は、マイコン１３内部でプルアップされており、オフ状態の時はハイレベル，オン状態の時は一端がアースに接続されてロウレベルとなる。
【００１２】
一方、マイコン１３には、制御盤４から解錠信号及び施錠信号が受信バッファ１８ａ及び１８ｂを介して入力ポートに与えられ、逆に、マイコン１３からは、後述するように電気錠１から出力される解錠状態信号及びドア開信号が、出力ポートから送信バッファ１９ａ及び１９ｂを介して制御盤４に与えられるようになっている。
また、マイコン１３からは、解錠信号及び施錠信号が、出力ポートから送信バッファ２０ａ及び２０ｂを介して電気錠１に与えられ、逆に、電気錠１から解錠状態信号及びドア開信号が、受信バッファ２１ａ及び２１ｂを介してマイコン１３の入力ポートに与えられるようになっている。
【００１３】
電気錠１内部のアクチュエータ１ｂの両端子には、解錠信号及び施錠信号が与えられるようになっている。例えば、解錠信号がローレベル，施錠信号がハイレベルの場合は、アクチュエータ１ｂが正転してデッドボルト１ａをドア２の外部へ突出させ、住宅側に設けられている図示しない凹部に挿入させることによってドア２を施錠させる。逆に、解錠信号がハイレベル，施錠信号がローレベルの場合は、アクチュエータ１ｂが逆転してデッドボルト１ａをドア２の内部へ引き戻すことによってドア２を解錠させる。
また、電気錠１内部には、デッドボルト１ａの上記動作に応じて、デッドボルト１ａがドア２の内部へ引き戻されてドア２が解錠状態である時にオン状態となるスイッチ２２が設けられており、そのスイッチ２２がオン状態となった時に、解錠状態信号をマイコン１３に与えるようになっている。
【００１４】
更に、電気錠１内部には、ドア２が開状態であること検出するためのリードスイッチ２３が設けられている。このリードスイッチ２３は、ドア２が閉状態である時には、住宅側に設けられているマグネット２４によってリード部分が引きつけられて接点が開離することによりオフ状態となり、ドア２が開状態となると、リード部分が接点を接続することによりオン状態となる。そして、リードスイッチ２４がオン状態となった時に、ドア開信号をマイコン１３に与えるようになっている。
【００１５】
次に、本実施例の作用について図３をも参照して説明する。住宅内部のスイッチ６が操作されて制御盤４から施錠，解錠信号が出力された場合は、マイコン１３は、ドア２の開閉状態及び施錠，解錠状態に応じてドア２の施錠，解錠動作を行う。
また、住宅外部のテンキー５が操作されて出力された暗証番号が制御盤４に与えられると、その暗証番号が制御盤４に登録されているものと照合され、両者が一致すれば、制御盤４は、解錠状態信号及びドア開信号を参照して、解錠信号をマイコン１３に出力する。すると、マイコン１３は、与えられた解錠信号に応じてドア２の解錠動作を行う。
【００１６】
図３は、マイコン１３の送信機１０Ａ，１０Ｂ，１０Ｃから送信信号の入力があった場合の処理内容を示すフローチャートである。図示しないメインルーチンにおける信号の入力待ち状態において送信機１０Ａ，１０Ｂ，１０Ｃの何れかによって送信された信号の入力があると、このフローチャートに従って処理が行われる。尚、以降の説明において、送信機１０Ａ，１０Ｂ，１０Ｃを特に区別する必要がない場合は、単に「送信機１０」と表記する。
【００１７】
（１）通常動作状態（送信機１０Ａ，１０Ｂ，１０Ｃの何れもが無効化されていない場合）
先ず、送信機１０Ａ，１０Ｂ，１０Ｃの何れかによって送信された信号の入力があると、マイコン１３は、「コードＡ？」，「コードＢ？」，「コードＣ？」の判断ステップＳ１，Ｓ２，Ｓ３の夫々において、入力された信号のＩＤコードが送信機１０Ａ，１０Ｂ，１０Ｃの何れであるかを、内部のＲＯＭに記憶されているものと照合して判断する。入力された信号が送信機１０Ａ，１０Ｂ，１０ＣのＩＤコードの何れにも該当しない場合は、ステップＳ３において「ＮＯ」と判断してメインルーチンにリターンする。
また、入力された信号が送信機１０Ａ，１０Ｂ，１０ＣのＩＤコードの何れかに一致した場合は、マイコン１３は、ステップＳ１，Ｓ２，Ｓ３の何れかにおいて「ＹＥＳ」と判断して、「Ａ禁止モード？」，「Ｂ禁止モード？」，「Ｃ禁止モード？」の判断ステップＳ４，Ｓ５，Ｓ６に夫々移行する。
【００１８】
判断ステップＳ４，Ｓ５，Ｓ６において、マイコン１３は、設定スイッチ１７Ａ，１７Ｂ，１７Ｃの状態を夫々参照して、送信機１０Ａ，１０Ｂ，１０Ｃが夫々禁止モードにあるか否かを判断する。設定スイッチ１７Ａ，１７Ｂ，１７Ｃが夫々オンに設定されていない場合は「ＮＯ」と判断して、何れの場合も「ドア閉？」の判断ステップＳ７に移行する。
判断ステップＳ７において、マイコン１３は、入力ポートを参照し、電気錠１からドア開信号が出力されているか否かによってドア２が閉状態にあるか否かを判断する。ドア開信号が出力されており「ＮＯ」と判断すると、処理を終了してリターンする。また、ドア開信号が出力されておらず「ＹＥＳ」と判断すると  「解錠信号？」の判断ステップＳ８に移行する。
【００１９】
判断ステップＳ８において、マイコン１３は、送信機１０から送信された信号が解錠信号であるか否かを、ＲＯＭに記憶されているデータに基づいて判断する。送信された信号が解錠信号であり「ＹＥＳ」と判断すると「施錠状態？」の判断ステップＳ９に移行し、送信された信号が解錠信号でなく「ＮＯ」と判断すると、この場合は施錠信号が送信されたと判断して「解錠状態？」の判断ステップＳ１１に移行する。
【００２０】
判断ステップＳ９において、マイコン１３は、入力ポートを参照し、電気錠１から解錠状態信号が出力されているか否かによってドア２が施錠状態にあるか否かを判断し、解錠状態信号が出力されておらず「ＹＥＳ」と判断すると「解錠」の処理ステップＳ１０に移行する。また、解錠状態信号が出力されており「ＮＯ」と判断すると、処理を終了してリターンする。
処理ステップＳ１０において、マイコン１３は、出力ポートに解錠信号を出力して電気錠１に送信する。すると、電気錠１のアクチュエータ１ｂが逆転してデッドボルト１ａをドア２の内部へ引き戻し、ドア２を解錠状態にする。そして、メインルーチンにリターンする。
【００２１】
判断ステップＳ１１及びＳ１２の処理は、上記ステップＳ９及びＳ１０の処理を施錠に関して行うものである。即ち、マイコン１３は、電気錠１から解錠状態信号が出力されているか否かによりドア２が解錠状態にあるか否かを判断し、解錠状態信号が出力されており「ＹＥＳ」と判断すると「施錠」の処理ステップＳ１２に移行して、出力ポートに施錠信号を出力してドア２を施錠状態にした後、メインルーチンにリターンする。また、解錠状態信号が出力されておらず「ＮＯ」と判断すると、そのままリターンする。
【００２２】
（２）送信機１０Ａ，１０Ｂ，１０Ｃの何れかが無効化されている場合
例えば、送信機１０Ｂを外出先などで紛失してしまった場合は、設定スイッチ１７Ｂを操作してオン状態にする。すると、送信機１０Ａ，１０Ｃが操作された場合の処理は（１）と同様であるが、送信機１０Ｂを取得した者が不正に使用した場合は、送信機１０ＢのＩＤコードが送信されても、ステップＳ５において、マイコン１３が「ＹＥＳ」と判断することによってメインルーチンにリターンするので、施錠または解錠動作は行われずに送信機１０Ｂは無効化される。尚、ステップＳ４，Ｓ５，Ｓ６は、禁止手段に対応する。
【００２３】
また、送信機１０Ｂの代わりに新たな送信機１０Ｂ′（図示せず）を使用したい場合には、その新たな送信機１０Ｂ′のＩＤコードの登録処理を行う。この場合は、選択スイッチ１６を、送信機１０Ｂ′に対応するポジションＢに合わせた状態で登録スイッチ１５をオン操作すると、マイコン１３のＩＤコード登録プログラムが起動される。そして、送信機１０Ｂ′を操作してＩＤコードを受信制御装置７に送信する。
すると、送信された送信機１０Ｂ′のＩＤコードが、マイコン１３内のＥＥＰＲＯＭにおける送信機１０ＢのＩＤコードが記憶されていた領域に上書きされて記憶される。以降は、設定スイッチ１７Ｂをオフ状態にすることによって、新たに登録された送信機１０Ｂ′を使用することができる。
【００２４】
以上のように本実施例によれば、受信制御装置７に、複数の送信機１０Ａ，１０Ｂ，１０Ｃの何れかの機能を選択的に無効化するための設定スイッチ１７Ａ，１７Ｂ，１７Ｃを設けて、設定スイッチ１７Ａ，１７Ｂ，１７Ｃの何れかがオン操作されて、対応する送信機１０の機能を無効化する設定が行われた状態では、マイコン１３は、対応する送信機１０から送信される施錠信号または解錠信号を受信しても、電気錠１のドア２に対する施錠または解錠動作を禁止するようにした。
従って、使用者が携帯していた送信機１０を紛失した場合であっても、対応する設定スイッチ１７Ａ，１７Ｂ，１７Ｃの何れかをオン操作するだけで、紛失した送信機１０の機能を容易に無効化して、セキュリティの確保を容易に行うことができる。また、紛失した送信機１０の機能のみを選択的に無効化し得るので、利便性の低下を極力少なくすることができる。
【００２５】
図４は本発明の第２実施例を示すものであり、第１実施例と同一部分には同一符号を付して説明を省略し、以下異なる部分についてのみ説明する。第２実施例においては、第１実施例における登録スイッチ１５及び選択スイッチ１６が除かれている。また、設定スイッチ１７Ａ，１７Ｂ，１７Ｃに代えて、３ポジションのスライドスイッチからなる設定スイッチ（設定手段）２５Ａ，２５Ｂ，２５Ｃが設けられている。その他の構成は第１実施例と同様である。
【００２６】
代表して設定スイッチ２５Ａについて説明すると、設定スイッチ２５Ａは、３つの端子２５Ａａ，２５Ａｂ，２５Ａｃを有しており、端子２５Ａａ，２５Ａｂはマイコン１３内部でプルアップされ、端子２５Ａｃはアースに接続されている。そして、操作子２５Ａｄによって端子２５Ａａ−２５Ａｃが接続されるポジション１が“禁止”位置に対応し、端子２５Ａｂ−２５Ａｃが接続されるポジション２が“登録”位置に対応し、端子２５Ａａ，２５Ａｂ共に端子２５Ａｃに接続されないポジション３が“通常”位置に対応する。
【００２７】
ここで、各ポジションと端子２５Ａａ，２５Ａｂのレベルとの関係は、以下のようになっている。
端子２５Ａａ    端子２５Ａｂ
ポジション１（禁止）      ロウ            ハイ
ポジション２（登録）      ハイ            ロウ
ポジション３（通常）      ハイ            ハイ
マイコン１３は、各設定スイッチ２５Ａ，２５Ｂ，２５Ｃの各端子のレベルを参照して、ポジション１〜３の何れにあるかによって、各送信機１０Ａ，１０Ｂ，１０Ｃが、禁止，登録，通常の何れのモードにあるかを判断する。例えば、ステップＳ４においては、端子２５Ａａ及び２５Ａｂが共にハイレベルであれば、送信機１０Ａは通常モードであり、「ＮＯ」と判断する。また、端子２５Ａａがロウレベルで、端子２５Ａｂがハイレベルであれば、送信機１０Ａは禁止モードであり、「ＹＥＳ」と判断する。
【００２８】
更に、端子２５Ａａがハイレベルで、端子２５Ａｂロウレベルであれば、送信機１０Ａは登録モードであるので、送信機１０ＡからＩＤコードが送信された場合には、新たに登録を行う。
以上のように第２実施例によれば、３ポジションの設定スイッチ２５Ａ，２５Ｂ，２５Ｃを用いたことによって、第１実施例における登録スイッチ１５及び選択スイッチ１６が有していた機能が共通化され部品を削減することができるので、より低価格で構成することができる。
【００２９】
本発明は上記し且つ図面に記載した実施例にのみ限定されるものではなく、次のような変形が可能である。
空中伝搬信号は電波に限らず、電磁信号や静電信号若しくは光でも良い。
第１実施例における設定スイッチ１７Ａ，１７Ｂ，１７Ｃ及び第２実施例における設定スイッチ２５Ａ，２５Ｂ，２５Ｃは、制御盤４側に設けても良い。
複数個の送信機を同じＩＤコードで使用して、全ての送信機を一括して禁止モードに設定しても良い。
住宅用の施錠システムに限らず、工場や店舗，事務所等の施錠システムであっても良く、要は送信機を用いたリモコン錠システムであれば適用が可能である。
【図面の簡単な説明】
【００３０】
【図１】本発明の第１実施例を示す電気的構成図
【図２】リモコン錠システムの全体構成図
【図３】マイクロコンピュータの制御内容を示すフローチャート
【図４】本発明の第２実施例を示す図１相当図
【符号の説明】
【００３１】
１は電気錠、２はドア、７は受信制御装置、１０Ａ，１０Ｂ，１０Ｃは送信機、１３はマイクロコンピュータ（制御手段，禁止手段）、１７Ａ，１７Ｂ，１７Ｃは設定スイッチ（設定手段）、２５Ａ，２５Ｂ，２５Ｃは設定スイッチ（設定手段）を示す。
【図１】
2007255187.tif 000003
【図２】
2007255187.tif 000004
【図３】
2007255187.tif 000005
【図４】
2007255187.tif 000006